(57)【特許請求の範囲】
【請求項１】
ループ部を形成するように、帯状のチチ素材を折り返して、のぼり旗のポール受け部とするとともに、ループ部に続く開いた端部とループとの間に両面テープ、又は熱接着フイルムにより、のぼり生地を挟持しない小面積からなる接合部を形成して、且つのぼり生地を挟持するための端部内側には両面接着テープ、もしくは熱接着フィルムを貼り合わせて構成するのぼりのチチ。
【請求項２】
ループ部を形成するように、帯状のチチ素材を折り返して、のぼり旗のポール受け部とするとともに、ループ部に続く開いた端部内側に、くの字型に両面接着テープ、もしくは熱接着フィルムを接合して、ループ部に続く開いた端部とループとの間に、のぼり生地を挟持しない小面積からなる接合部を形成するのぼりのチチ。
【請求項３】
請求項１又は請求項２ののぼりのチチにおいて、ループ部を形成するように、帯状のチチ素材を折り返して、のぼり旗のポール受け部とするとともに、ループ部に続く開いた端部とループとの間に両面テープ、熱接着フイルムにより、のぼり生地を挟持しない小面積からなる接合部を形成して、且つのぼり生地を挟持するための端部内側には両面接着テープ、もしくは熱接着フィルムを貼り合わせて構成し、よって圧着もしくは、熱溶着によりのぼり、紅白あるいは、のれんを端部に挟持せしめるに際し、チチ端部内側に接するのぼり、紅白あるいは、のれんの一部に、方形もしくは円形をはじめ部分的なくりぬき部を設けることにより、両面接着テープ、もしくは熱接着フィルムが直接に接合する面積が増大することにより、接着面に直角方向に働く剥離力に耐えることを可能としたことを特徴とするのぼりのチチの取り付け方法。
【発明の詳細な説明】
【０００１】
【産業上の利用分野】
本発明は、宣伝、広告、儀礼、あるいは装飾として用いられるのぼり、紅白、のれんに関わるものである。さらに詳しくは、のぼり、紅白、のれんなどのチチ部およびその取付け方に関わるものである。
【０００２】
【従来の技術】
従来ののぼりは、一般に方形よりなるのぼり部本体と、その外周辺にポール受け用に設けられるチチ部より構成されるが、このチチ部は、縫製により逐一のぼり本体に縫いつける以外に方法がなかったのである。また、その製造にあっては、染め作業後、一枚づつ手作業により、そののぼりの寸法、形状に合せて熟練した縫い子の手によりチチ部をとり付けるものであり、実用にあっては、これをポールに通し用いるために、実用現場でその都度のぼり、または、のれんの形状に合せたポールを用意して合せるものであった。
【０００３】
【発明が解決しようとする課題】
従来、業界では現在に至るも、のぼり等のチチを縫製により縫いつける作業を必要とするため、かかる作業は人手を要し、又、逐一縫糸を切断処理するなど、大変な作業となっていた。又、同時にこれは時間のかかる作業でもあり、大量に製造する、あるいは、短時間に作らなければならないとなると、不可能に近いものがあった。のぼり、紅白にあっては、本体の染め作業、寸法により、チチ部の位置、枚数が異なるために、ポールにあっては、逐一これを合わせて用いる手間を要し、又、適切な寸法に設置しないと、強風に煽られてまくり上がる等の不備があった。
【０００４】
かかる、のぼり、紅白、のれん等にあっては、その性格上、のぼり本体側の色柄、染めが主体となるため、永年、これに付帯するチチ部は旧態然の、製造現場に於ける、糸による縫製作業で処理されて来たので有る。
【０００５】
【課題を解決する為の手段】
本発明では、かかる問題を解決する為に、まず、チチそのものの取り付けを改め、逐一これを縫製せずに、接着により貼り付け、為に縫製の手間を省き、更には現場に於いて、状況に応じた形で設営可能なものにせんとするもので有る。
【０００６】
第１の発明は、ループ部を形成するように、帯状のチチ素材を折り返して、のぼり旗のポール受け部とするとともに、ループ部に続く開いた端部とループとの間に両面テープ、又は熱接着フイルムにより、のぼり生地を挟持しない小面積からなる接合部を形成して、且つのぼり生地を挟持するための端部内側には両面接着テープ、もしくは熱接着フィルムを貼り合わせて構成するのぼりのチチである。
【０００７】
第２の発明は、ループ部を形成するように、帯状のチチ素材を折り返して、のぼり旗のポール受け部とするとともに、ループ部に続く開いた端部内側に、くの字型に両面接着テープ、もしくは熱接着フィルムを接合して、ループ部に続く開いた端部とループとの間に、のぼり生地を挟持しない小面積からなる接合部を形成するのぼりのチチである。
【０００８】
第３の発明は、請求項１又は請求項２ののぼりのチチにおいて、ループ部を形成するように、帯状のチチ素材を折り返して、のぼり旗のポール受け部とするとともに、ループ部に続く開いた端部とループとの間に両面テープ、熱接着フイルムにより、のぼり生地を挟持しない小面積からなる接合部を形成して、且つのぼり生地を挟持するための端部内側には両面接着テープ、もしくは熱接着フィルムを貼り合わせて構成し、よって圧着もしくは、熱溶着によりのぼり、紅白あるいは、のれんを端部に挟持せしめるに際し、チチ端部内側に接するのぼり、紅白あるいは、のれんの一部に、方形もしくは円形をはじめ部分的なくりぬき部を設けることにより、両面接着テープ、もしくは熱接着フィルムが直接に接合する面積が増大することにより、接着面に直角方向に働く剥離力に耐えることを可能としたことを特徴とするのぼりのチチの取り付け方法である。
【０００９】
【作用】
本発明では、チチの端部にかかる両面接着テープあるいは、熱接着フィルムを設けたので、何等の縫製作業を要することなく、しかもその接合力において、十分実用に足る強度を有し得るのである。
【００１０】
本発明によるチチを用いると、製造現場においてはいとも容易にその取付けが出来るのみならず、設営現場にあっても、いかなるポールにも適合させ得るのである。
【００１１】
更には、上述のごとくチチの取付け位置を設営現場で自在に出来るのみならず、チチ本体とのぼり本体との間で両面接着テープあるいは、熱接着フィルムが直接互いに接合され得るので、十分な接合強度を提供出来るのである。
【００１２】
加えて、本発明のチチでは接着面に対し、チチ端の形状を波形あるいは、半円状となしたので、チチ端部へ働く剥離に作用する力を分散するため、のぼり本体からチチ端部が剥離されるのを防止出来るのである。
【００１３】
同時に、チチ端部に於いて接着面と同端部との間に切れ目を入れたので、チチを剥離しようとする不意の力を接着面に伝えないので有る。
【００１４】
又、半パイプ状のポール保持部内周面に設けた凹凸溝の山部、谷部の為に、本発明によるチチを実施すると、ポールに対しいかなる強風でものぼりの捲れ上がりを回避し、常に視認性を維持出来るので有る。
【００１５】
【実施例】
以下、本発明の実施の形態を図面を参考としながら説明し、本発明の理解に供する。
図１は、のぼりの概略を示すものである。
図２は、図中４はチチ１の端部に設けられた両面接着テープあるいは、熱接着フィルムである。かかる構造のチチは、のぼりの任意の位置に容易に取付ける事が出来、何等の縫製加工を必要としないのである。実用にあっては、図２の状態で、のぼりの端を挟持し、圧着もしくは、加熱により溶着せしめるのである。
【００１６】
図３は、本発明の請求項１の一実施例を示し、図中５は両面接着テープあるいは熱接着フィルムを示す４の一部であり、のぼり本体２よりはみ出した部分である。当該５は、チチ１の相対する内面に位置し、互いに接着面同士が直接接合するのである。このため、チチとして実施されると、より強力にのぼり本体２を固持するのである。
【００１７】
図４は、本発明の請求項２の一実施例である。図中６は、チチ１の曲折部に呼応して、くの字形に折曲げられた両面接着テープを示す。本発明は、かかる構造を有するのでチチ１とのぼり本体２との接合強度を増すことができると同時に、より容易に両面接着テープ６をチチ１に取付けることができるのである。
【００１８】
図５は、本発明の請求項３の一実施例である。図中７は、のぼり本体２の外周面に設けられた円形のくり抜きを示す。チチ１の内側端部に設けられた両面接着テープは、チチ１の両端が重ね合わされることにより、直接、接着面同士が接合されるのである。かくして、のぼり本体とチチは、より強力に固定されるのである。
【００１９】
図６は、本発明の他の実施例である。図中８は、両面接着テープ４と同一の形状となしたチチ１の両端部であり、（ａ）は波形、（ｂ）は半円形の状態を示す。本実施例はいずれも、チチ１の端部からの剥離に対応して、チチ１の端部に作用する剥離方向の力を、それぞれ分散し、剥離の進行を阻止するのである。
【００２０】
図７は、本発明の他の一実施例を示す。図中９は、両面接着テープ４とチチ１の端部との間に設けられた切れ込みを示す。チチ端部からの捲れに対し、本切れ込み９は、その捲れに作用する力を接着面に伝えることなく、接着面本体の捲れを防止するのである。チチ１の端部は、捲れがその端部から発生すると、切れ込み９の位置でその捲れを接着面の角部のみに伝え、剥離の方向を転ずるのである。
【００２１】
図８は、本発明の他の実施例を示す。図中１０は半パイプ状のポール保持部、１１は、チチ状羽根部を示す。１２および１３は、チチ状羽根部１１の端に設けられた、のぼり固定用の差込み突起とその受け部を表わす。半パイプ状のポール保持部の内面には凹凸溝１４がそれぞれ独立した円周として設けられている。本発明の実施にあたっては、保持部１０を旗さおに所要数個差込み、しかる後、のぼり本体の周辺部をチチ状羽根部１１の間に挟み込み、差込み突起１２と受け部１３の結合を、のぼりをその間に介在させたまま行なうのである。ポール保持部１０の内面に設けた凹凸溝１４は、強風による、のぼりの巻き上がりを阻止し、常に、視認性をそこなうことなく、しかも、現場で容易にのぼりの設営が可能となるのである。
【００２２】
【発明の効果】
本発明は上述のごとき構造としたので、容易にチチの取付けが可能となり、より視認性がたかく、風による巻き上がりをふせぐのぼりを提供できるのである。
【図面の簡単な説明】
【図１】のぼりの概略図である。
【図２】チチの基本構成を示す実施例である。
【図３】（ａ）は、請求項１の実施例斜面説明図、（ｂ）は、その上方断面図である。
【図４】請求項２の実施例を示す斜面説明図である。
【図５】請求項３の実施例を示す斜面説明図である。
【図６】（ａ）及び（ｂ）は、他の実施例を示す斜面説明図である。
【図７】（ａ）及び（ｂ）は、他の実施例を示す斜面説明図である。
【図８】（ａ）及び（ｂ）は、他の実施例の構造を示す斜面図及び一部断面図である。
【符号の説明】
１  チチ
２  のぼり本体
３  ポール
４  両面接着テープ
５  両面接着テープのはみ出し部
６  請求項２の両面接着テープ
７  円形のくり抜き部
８  請求項５のチチの端部
９  切り込み
１０  ポール保持部
１１  チチ状羽根部
１２  差込み突起
１３  受け部
１４  凹凸溝
【図１】
0003689870.tif 000002
【図２】
0003689870.tif 000003
【図３】
0003689870.tif 000004
【図４】
0003689870.tif 000005
【図５】
0003689870.tif 000006
【図６】
0003689870.tif 000007
【図７】
0003689870.tif 000008
【図８】
0003689870.tif 000009